(57)【要約】  本発明は宋錦織物用アイロンがけ機構を開示し、該宋錦織物用アイロンがけ機構は、装置本体を含み、前記装置本体には支持柱が設置され、前記支持柱の上方には支持ビームが設置され、前記支持ビームの上方には導線配管が設置され、前記導線配管は中空構造であり、前記装置本体にはアイロンがけプレートが設置され、前記アイロンがけプレートの側面には制限係合プレートが設置され、前記制限係合プレートとアイロンがけプレートとはバックルによって係着して接続され、前記制限係合プレートの端面には電源ユニットが設置され、前記アイロンがけプレートの他の３つの側面には位置決めベースプレートが設置され、前記位置決めベースプレートには押圧ユニットが設置され、前記位置決めベースプレートの底部にはスライドユニットＡとスライドユニットＢが設置される。本発明は、構造が簡単であり、押圧構造、スライドユニットＡ及びスライド機構Ｂの作用によって、アイロンがけ時に宋錦織物をアイロンがけプレートの上端面に安定的に敷くことを効果的に確保し、アイロンがけの品質を向上させ、アイロンがけのズレによる品質上の問題を回避する。【選択図】図１
2021510088.tif 000002
【特許請求の範囲】
【請求項１】
装置本体を含み、前記装置本体には支持柱（１）が設置され、前記支持柱（１）の上方には支持ビーム（３）が設置され、前記支持ビーム（３）と支持柱（１）とは溶接により接続され、前記支持ビーム（３）の上方には導線配管（４）が設置され、前記導線配管（４）と支持柱（１）とはネジによって固定して接続され、前記導線配管（４）は中空構造であり、前記装置本体にはアイロンがけプレート（５）が設置され、前記アイロンがけプレート（５）は導線配管（４）の上方に取り付けられ、前記アイロンがけプレート（５）と導線配管（４）とはネジによって固定して接続される宋錦織物用アイロンがけ機構であって、
前記アイロンがけプレート（５）の側面には制限係合プレート（６）が設置され、前記制限係合プレート（６）とアイロンがけプレート（５）とはバックルによって係着して接続され、前記制限係合プレート（６）の端面には電源ユニットが設置され、前記アイロンがけプレート（５）の他の３つの側面には位置決めベースプレート（７）が設置され、前記位置決めベースプレート（７）には押圧ユニットが設置され、前記位置決めベースプレート（７）の底部にはスライドユニットＡとスライドユニットＢが設置されることを特徴とする宋錦織物用アイロンがけ機構。
【請求項２】
前記支持柱（１）の底部にはフットパッド（２）が設置され、前記フットパッド（２）と支持柱（１）とは溶接方式によって固定して接続されることを特徴とする請求項１に記載の宋錦織物用アイロンがけ機構。
【請求項３】
前記押圧ユニットは固定柱（８）、角度調整板（９）、ねじ棒（１０）、押圧板（１１）及び締め付けナット（１２）を含み、前記押圧ユニットには固定柱（８）が設置され、前記固定柱（８）と位置決めベースプレート（７）とは溶接方式によって固定して接続され、前記固定柱（８）には角度調整板（９）が設置され、前記角度調整板（９）と固定柱（８）とはベアリングによって回転可能に接続され、前記角度調整板（９）にはねじ棒（１０）が設置され、前記ねじ棒（１０）と角度調整板（９）とはネジによって接続され、前記角度調整板（９）の底部には押圧板（１１）が設置され、前記押圧板（１１）と角度調整板（９）とはベアリングによって回転可能に接続され、前記ねじ棒（１０）の頂部には締め付けナット（１２）が設置され、前記締め付けナット（１２）とねじ棒（１０）とは溶接方式によって固定して接続されることを特徴とする請求項１に記載の宋錦織物用アイロンがけ機構。
【請求項４】
前記押圧板（１１）の底部端面には布パッドが設置され、前記布パッドと押圧板（１１）とは接着剤で粘着して接続されることを特徴とする請求項３に記載の宋錦織物用アイロンがけ機構。
【請求項５】
前記スライドユニットＡは第１パレット（１３）、固定ブラケット（１４）及びガイドホイール（１５）を含み、前記スライドユニットＡには第１パレット（１３）が設置され、前記第１パレット（１３）の底部と支持ビーム（３）とは溶接方式によって固定して接続され、前記第１パレット（１３）の側面には固定ブラケット（１４）が設置され、前記固定ブラケット（１４）と位置決めベースプレート（７）の底部はネジによって固定され、前記固定ブラケット（１４）にはガイドホイール（１５）が設置され、前記ガイドホイール（１５）と固定ブラケット（１４）は回転可能に接続されることを特徴とする請求項１に記載の宋錦織物用アイロンがけ機構。
【請求項６】
前記ガイドホイール（１５）は２個設置され、２個のガイドホイール（１５）はそれぞれ第１パレット（１３）の上端面と下端面に設置されることを特徴とする請求項５に記載の宋錦織物用アイロンがけ機構。
【請求項７】
前記スライドユニットＢは、第２パレット（１６）、ブラケット（１７）、スライドロッド（１８）及びシュート（１９）を含み、前記スライドユニットＢには第２パレット（１６）が設置され、前記第２パレット（１６）の底部と支持ビーム（３）とは溶接方式によって固定して接続され、前記第２パレット（１６）の上端面にはブラケット（１７）が設置され、前記ブラケット（１７）と第２パレット（１６）とはネジによって固定して接続され、前記ブラケット（１７）にはスライドロッド（１８）が設置され、前記スライドロッド（１８）は円柱状構造であり、前記スライドロッド（１８）とブラケット（１７）とは溶接方式によって接続され、前記位置決めベースプレート（７）の底面にはシュート（１９）が設置され、前記シュート（１９）と位置決めベースプレート（７）とは溶接方式によって接続されることを特徴とする請求項１に記載の宋錦織物用アイロンがけ機構。
【請求項８】
スライドロッド（１８）に対応する前記シュート（１９）の位置には円形溝が設置され、前記シュート（１９）とスライドロッド（１８）とはスライド可能に接続されることを特徴とする請求項７に記載の宋錦織物用アイロンがけ機構。
【請求項９】
前記電源ユニットは電源ボックス（２０）、ソケット（２１）、制限スライドレール（２２）、制限フレーム（２３）及びソケットバッフル（２４）を含み、前記電源ユニットには電源ボックス（２０）が設置され、前記電源ボックス（２０）と制限係合プレート（６）とはネジによって固定して接続され、前記電源ボックス（２０）にはソケット（２１）が設置され、前記ソケット（２１）と電源ユニットとは電気的に接続され、前記電源ボックス（２０）の端面には制限スライドレール（２２）が設置され、前記制限スライドレール（２２）と電源ボックス（２０）とは接着剤で粘着して接続され、前記制限スライドレール（２２）の底部には制限フレーム（２３）が設置され、前記制限フレーム（２３）と制限スライドレール（２２）は一体成形構造であり、前記電源ユニットにはソケットバッフル（２４）が設置され、前記ソケットバッフル（２４）と制限スライドレール（２２）とはスライド可能に接続され、制限フレーム（２３）によってソケットバッフル（２４）が制限されることを特徴とする請求項１に記載の宋錦織物用アイロンがけ機構。
【発明の詳細な説明】
【技術分野】
【０００１】
本発明は、アイロンがけ装置に関し、具体的には、宋錦織物用アイロンがけ機構に関する。
【背景技術】
【０００２】
アイロンがけとは、アイロンを加熱して衣類にアイロンがけをすることを指す。一般的には、アイロンを使って衣類にアイロンがけをし、衣類の皺をのばす。昔は「熨斗」と呼ばれ、「火熨斗」、「鉄熨斗」とも呼ばれる。通常、金属で製造されるが、昔は炭火で加熱してから衣類にアイロンがけをするのが一般的である。
【０００３】
しかし、宋錦織物にアイロンがけをする場合、通常押圧構造がなく、一般的な衣類と同様に直接アイロンがけをするが、宋錦織物が比較的薄いので、このようなアイロンがけ構造を使用すると、宋錦織物にズレが発生して、アイロンがけの品質上の問題を引き起こすことから、既存のアイロンがけ設備は実際に使用する時にとても不便であり、そのため、それを改良する必要がある。本発明は、宋錦織物用アイロンがけ機構を提供することにより、前記背景技術の問題を解決することを目的とする。
【発明の概要】
【０００４】
上記の目的を達成させるため、本発明は、次のような技術案を提供する。
【０００５】
宋錦織物用アイロンがけ機構であって、装置本体を含み、前記装置本体には支持柱が設置され、前記支持柱の上方には支持ビームが設置され、前記支持ビームと支持柱とは溶接により接続され、前記支持ビームの上方には導線配管が設置され、前記導線配管と支持柱とはネジによって固定して接続され、前記導線配管は中空構造であり、前記装置本体にはアイロンがけプレートが設置され、前記アイロンがけプレートは導線配管の上方に取り付けられ、前記アイロンがけプレートと導線配管とはネジによって固定して接続され、前記アイロンがけプレートの側面には制限係合プレートが設置され、前記制限係合プレートとアイロンがけプレートとはバックルによって係着して接続され、前記制限係合プレートの端面には電源ユニットが設置され、前記アイロンがけプレートの他の３つの側面には位置決めベースプレートが設置され、前記位置決めベースプレートには押圧ユニットが設置され、前記位置決めベースプレートの底部にはスライドユニットＡとスライドユニットＢが設置される。
【０００６】
本発明の更なる態様として、前記支持柱の底部にはフットパッドが設置され、前記フットパッドと支持柱とは溶接方式によって固定して接続される。
【０００７】
本発明の更なる態様として、前記押圧ユニットは固定柱、角度調整板、ねじ棒、押圧板及び締め付けナットを含み、前記押圧ユニットには固定柱が設置され、前記固定柱と位置決めベースプレートとは溶接方式によって固定して接続され、前記固定柱には角度調整板が設置され、前記角度調整板と固定柱とはベアリングによって回転可能に接続され、前記角度調整板にはねじ棒が設けられ、前記ねじ棒と角度調整板とはネジによって接続され、前記角度調整板の底部には押圧板が設置され、前記押圧板と角度調整板とはベアリングによって回転可能に接続され、前記ねじ棒の頂部には締め付けナットが設置され、前記締め付けナットとねじ棒とは溶接方式によって固定して接続される。
【０００８】
本発明の更なる態様として、前記押圧板の底部端面には布パッドが設置され、前記布パッドと押圧板とは接着剤で粘着して接続される。
【０００９】
本発明の更なる態様として、前記スライドユニットＡは第１パレット、固定ブラケット及びガイドホイールを含み、前記スライドユニットＡには第１パレットが設置され、前記第１パレットの底部と支持ビームとは溶接方式によって固定して接続され、前記第１パレットの側面には固定ブラケットが設置され、前記固定ブラケットと位置決めベースプレートの底部はネジによって固定され、前記固定ブラケットにはガイドホイールが設置され、前記ガイドホイールと固定ブラケットとは回転可能に接続される。
【００１０】
本発明の更なる態様として、前記ガイドホイールは２個設置され、２個のガイドホイールはそれぞれ第１パレットの上端面と下端面に設置される。
【００１１】
本発明の更なる態様として、前記スライドユニットＢは、第２パレット、ブラケット、スライドロッド及びシュートを含み、前記スライドユニットＢには第２パレットが設置され、前記第２パレットの底部と支持ビームとは溶接方式によって固定して接続され、前記第２パレットの上端面にはブラケットが設置され、前記ブラケットと第２パレットとはネジによって固定して接続され、前記ブラケットにはスライドロッドが設置され、前記スライドロッドは円柱状構造であり、前記スライドロッドとブラケットとは溶接方式によって接続され、前記位置決めベースプレートの底面にはシュートが設置され、前記シュートと位置決めベースプレートとは溶接方式によって接続される。
【００１２】
本発明の更なる態様として、スライドロッドに対応する前記シュートの位置には円形溝が設置され、前記シュートとスライドロッドとはスライド可能に接続される。
【００１３】
本発明の更なる態様として、前記電源ユニットは電源ボックス、ソケット、制限スライドレール、制限フレーム及びソケットバッフルを含み、前記電源ユニットには電源ボックスが設置され、前記電源ボックスと制限係合プレートとはネジによって固定して接続され、前記電源ボックスにはソケットが設けられ、前記ソケットと電源ユニットとは電気的に接続され、前記電源ボックスの端面には制限スライドレールが設置され、前記制限スライドレールと電源ボックスとは接着剤で粘着して接続され、前記制限スライドレールの底部には制限フレームが設置され、前記制限フレームと制限スライドレールは一体成形構造であり、前記電源ユニットにはソケットバッフルが設けられ、前記ソケットバッフルと制限スライドレールとはスライド可能に接続され、制限フレームによってソケットバッフルが制限される。
【００１４】
従来技術に比べ、本発明の有益な効果は、次のとおりである。
【００１５】
1.  アイロンがけ時、押圧ユニットによって宋錦織物を押圧し、このような方式によって、アイロンがけ時に起きる宋錦織物のズレを回避する。
【００１６】
２、調整時に、スライドユニットＢによって位置決めベースプレートをガイドし、ガイドする過程において、シュートとスライドロッドとの間の相互作用により、位置決めベースプレートを全体として移動させ、その安定性を確保する。
【００１７】
３、２個のスライドユニットＡにより位置決めベースプレートの中央部で湾曲が発生しないことを確保し、長時間にわたって装置本体を使っても大きなズレが生じないことを確保し、位置決めベースプレートの湾曲による押圧の不安定さによって引き起こされる緩みや脱離の現象を回避する。
【００１８】
前記のとおり、本発明は、構造が簡単であり、押圧構造、スライドユニットＡ及びスライド機構Ｂによって、アイロンがけ時に宋錦織物をアイロンがけプレートの上端面に安定的に敷くことを効果的に確保し、アイロンがけの品質を向上させ、アイロンがけのズレによる品質上の問題を回避する。
【図面の簡単な説明】
【００１９】
【図１】宋錦織物用アイロンがけ機構の構造模式図である。
【図２】宋錦織物用アイロンがけ機構の電源ユニットの構造模式図である。
【図３】宋錦織物用アイロンがけ機構の電源ユニットのＡ−Ａ矢視断面図である。
【図４】宋錦織物用アイロンがけ機構の押圧構造の構造模式図である。
【図５】宋錦織物用アイロンがけ機構のスライドユニットＡの構造模式図である。
【図６】宋錦織物用アイロンがけ機構のスライドユニットＢの構造模式図である。
【発明を実施するための形態】
【００２０】
以下、特定の実施形態を参照しながら本発明の技術案についてより詳細に説明する。
【００２１】
実施例１
本発明の態様
図１−６を参照すると、宋錦織物用アイロンがけ機構は、装置本体を含み、前記装置本体には支持柱１が設置され、前記支持柱１の底部にはフットパッド２が設置され、前記フットパッド２と支持柱１とは溶接方式によって固定して接続される。前記支持柱１の上方には支持ビーム３が設置され、前記支持ビーム３と支持柱１とは溶接により接続される。前記支持ビーム３の上方には導線配管４が設置され、前記導線配管４と支持柱１とはネジによって固定して接続される。前記導線配管４は中空構造であり、前記装置本体にはアイロンがけプレート５が設置され、前記アイロンがけプレート５は導線配管４の上方に取り付けられ、前記アイロンがけプレート５と導線配管４とはネジによって固定して接続される。前記アイロンがけプレート５の側面には制限係合プレート６が設置され、前記制限係合プレート６とアイロンがけプレート５とはバックルによって係着して接続される。前記アイロンがけプレート５の他の３つの側面には位置決めベースプレート７が設置され、前記位置決めベースプレート７には押圧ユニットが設置され、前記押圧ユニットは固定柱８、角度調整板９、ねじ棒１０、押圧板１１及び締め付けナット１２を含み、前記押圧ユニットには固定柱８が設置され、前記固定柱８と位置決めベースプレート７とは溶接方式によって固定して接続される。前記固定柱８には角度調整板９が設置され、前記角度調整板９と固定柱８とはベアリングによって回転可能に接続される。前記角度調整板９にはねじ棒１０が設けられ、前記ねじ棒１０と角度調整板９とはネジによって接続される。前記角度調整板９の底部には押圧板１１が設置され、前記押圧板１１と角度調整板９とはベアリングによって回転可能に接続される。前記押圧板１１の底部端面には布パッドが設置され、前記布パッドと押圧板１１とは接着剤で粘着して接続される。前記ねじ棒１０の頂部には締め付けナット１２が設置され、前記締め付けナット１２とねじ棒１０とは溶接方式によって固定して接続される。前記位置決めベースプレート７の底部にはスライドユニットＡとスライドユニットＢが設置され、前記スライドユニットＡは第１パレット１３、固定ブラケット１４及びガイドホイール１５を含み、前記スライドユニットＡには第１パレット１３が設置され、前記第１パレット１３の底部と支持ビーム３とは溶接方式によって固定して接続される。前記第１パレット１３の側面には固定ブラケット１４が設置され、前記固定ブラケット１４と位置決めベースプレート７の底部はネジによって固定され、前記固定ブラケット１４にはガイドホイール１５が設置され、前記ガイドホイール１５と固定ブラケット１４とは回転可能に接続される。前記ガイドホイール１５は２個設置され、２個のガイドホイール１５はそれぞれ第１パレット１３の上端面と下端面に設置され、前記スライドユニットＢは第２パレット１６、ブラケット１７、スライドロッド１８及びシュート１９を含み、前記スライドユニットＢには第２パレット１６が設置され、前記第２パレット１６の底部と支持ビーム３とは溶接方式によって固定して接続される。前記第２パレット１６の上端面にはブラケット１７が設置され、前記ブラケット１７と第２パレット１６とはネジによって固定して接続される。前記ブラケット１７にはスライドロッド１８が設置され、前記スライドロッド１８は円柱状構造であり、前記スライドロッド１８とブラケット１７とは溶接方式によって接続される。前記位置決めベースプレート７の底面にはシュート１９が設置され、前記シュート１９と位置決めベースプレート７とは溶接方式によって接続される。スライドロッド１８に対応する前記シュート１９の位置には円形溝が設置され、前記シュート１９とスライドロッド１８とはスライド可能に接続される。前記制限係合プレート６の端面には電源ユニットが設置される。
【００２２】
前記電源ユニットは電源ボックス２０、ソケット２１、制限スライドレール２２、制限フレーム２３及びソケットバッフル２４を含み、前記電源ユニットには電源ボックス２０が設置され、前記電源ボックス２０と制限係合プレート６とはネジによって固定して接続される。前記電源ボックス２０にはソケット２１が設けられ、前記ソケット２１と電源ユニットとは電気的に接続される。前記電源ボックス２０の端面には制限スライドレール２２が設置され、前記制限スライドレール２２と電源ボックス２０とは接着剤で粘着して接続される。前記制限スライドレール２２の底部には制限フレーム２３が設置され、前記制限フレーム２３と制限スライドレール２２は一体成形構造であり、前記電源ユニットにはソケットバッフル２４が設けられ、前記ソケットバッフル２４と制限スライドレール２２とはスライド可能に接続される。制限フレーム２３によってソケットバッフル２４が制限される。
【００２３】
本発明の作動原理は、以下のとおりである。装置本体を使用する時、宋錦織物をアイロンがけプレート５の上端面に敷き、アイロンがけ時に、押圧ユニットによって宋錦織物を押圧し、このような方式によって、アイロンがけ時に起きる宋錦織物のズレを回避する。押圧する際には、先ず位置決めベースプレート７の位置を調整し、調整時、スライドユニットＢにより位置決めベースプレート７をガイドし、ガイドする過程において、シュート１９とスライドロッド１８との間の相互作用により、位置決めベースプレート７を全体として移動させ、その安定性を確保し、且つ２個のスライドユニットＡにより位置決めベースプレート７の中央部で湾曲が発生しないことを確保し、長時間にわたって装置本体を使っても大きなズレが生じないことを確保し、位置決めベースプレート７の湾曲による押圧の不安定さによって引き起こされる緩めや脱離の現象を回避する。
【００２４】
実施例２
位置決め構造が設けられていない場合の態様は、以下のとおりである。
【００２５】
図１−３を参照すると、宋錦織物用アイロンがけ機構は、装置本体を含み、前記装置本体には支持柱１が設置され、前記支持柱１の底部にはフットパッド２が設置され、前記フットパッド２と支持柱１とは溶接方式によって固定して接続される。前記支持柱１の上方には支持ビーム３が設置され、前記支持ビーム３と支持柱１とは溶接により接続される。前記支持ビーム３の上方には導線配管４が設置され、前記導線配管４と支持柱１とはネジによって固定して接続される。前記導線配管４は中空構造であり、前記装置本体にはアイロンがけプレート５が設置され、前記アイロンがけプレート５は導線配管４の上方に取り付けられ、前記アイロンがけプレート５と導線配管４とはネジによって固定して接続される。前記アイロンがけプレート５の側面には制限係合プレート６が設置され、前記制限係合プレート６とアイロンがけプレート５とはバックルによって係着して接続される。前記制限係合プレート６の端面には電源ユニットが設置される。
【００２６】
前記電源ユニットは電源ボックス２０、ソケット２１、制限スライドレール２２、制限フレーム２３及びソケットバッフル２４を含み、前記電源ユニットには電源ボックス２０が設置され、前記電源ボックス２０と制限係合プレート６とはネジによって固定して接続される。前記電源ボックス２０にはソケット２１が設けられ、前記ソケット２１と電源ユニットとは電気的に接続される。前記電源ボックス２０の端面には制限スライドレール２２が設置され、前記制限スライドレール２２と電源ボックス２０とは接着剤で粘着して接続される。前記制限スライドレール２２の底部には制限フレーム２３が設置され、前記制限フレーム２３と制限スライドレール２２は一体成形構造であり、前記電源ユニットにはソケットバッフル２４が設けられ、前記ソケットバッフル２４と制限スライドレール２２とはスライド可能に接続される。制限フレーム２３によってソケットバッフル２４が制限される。
【００２７】
本発明の作動原理は、以下のとおりである。装置本体を使用する時、宋錦織物をアイロンがけプレート５の上端面に敷く。
【００２８】
実施例３
位置決め構造が設けられるが、１方向ガイド構造のスライドユニットＡのみを備える場合の態様は、以下のとおりである。
【００２９】
図１−５を参照すると、宋錦織物用アイロンがけ機構は、装置本体を含み、前記装置本体には支持柱１が設置され、前記支持柱１の底部にはフットパッド２が設置され、前記フットパッド２と支持柱１とは溶接方式によって固定して接続される。前記支持柱１の上方には支持ビーム３が設置され、前記支持ビーム３と支持柱１とは溶接により接続される。前記支持ビーム３の上方には導線配管４が設置され、前記導線配管４と支持柱１とはネジによって固定して接続される。前記導線配管４は中空構造であり、前記装置本体にはアイロンがけプレート５が設置され、前記アイロンがけプレート５は導線配管４の上方に取り付けられ、前記アイロンがけプレート５と導線配管４とはネジによって固定して接続される。前記アイロンがけプレート５の側面には制限係合プレート６が設置され、前記制限係合プレート６とアイロンがけプレート５とはバックルによって係着して接続される。前記アイロンがけプレート５の他の３つの側面には位置決めベースプレート７が設置され、前記位置決めベースプレート７には押圧ユニットが設置され、前記押圧ユニットは固定柱８、角度調整板９、ねじ棒１０、押圧板１１及び締め付けナット１２を含み、前記押圧ユニットには固定柱８が設置され、前記固定柱８と位置決めベースプレート７とは溶接方式によって固定して接続される。前記固定柱８には角度調整板９が設置され、前記角度調整板９と固定柱８とはベアリングによって回転可能に接続される。前記角度調整板９にはねじ棒１０が設けられ、前記ねじ棒１０と角度調整板９とはネジによって接続される。前記角度調整板９の底部には押圧板１１が設置され、前記押圧板１１と角度調整板９とはベアリングによって回転可能に接続される。前記押圧板１１の底部端面には布パッドが設置され、前記布パッドと押圧板１１とは接着剤で粘着して接続される。前記ねじ棒１０の頂部には締め付けナット１２が設置され、前記締め付けナット１２とねじ棒１０とは溶接方式によって固定して接続される。前記位置決めベースプレート７の底部にはスライドユニットＡが設置され、前記スライドユニットＡは第１パレット１３、固定ブラケット１４及びガイドホイール１５を含み、前記スライドユニットＡには第１パレット１３が設置され、前記第１パレット１３の底部と支持ビーム３とは溶接方式によって固定して接続される。前記第１パレット１３の側面には固定ブラケット１４が設置され、前記固定ブラケット１４と位置決めベースプレート７の底部はネジによって固定され、前記固定ブラケット１４にはガイドホイール１５が設置され、前記ガイドホイール１５と固定ブラケット１４とは回転可能に接続される。前記ガイドホイール１５は２個設置され、２個のガイドホイール１５はそれぞれ第１パレット１３の上端面と下端面に設置され、前記制限係合プレート６の端面には電源ユニットが設置される。
【００３０】
前記電源ユニットは電源ボックス２０、ソケット２１、制限スライドレール２２、制限フレーム２３及びソケットバッフル２４を含み、前記電源ユニットには電源ボックス２０が設置され、前記電源ボックス２０と制限係合プレート６とはネジによって固定して接続される。前記電源ボックス２０にはソケット２１が設けられ、前記ソケット２１と電源ユニットとは電気的に接続される。前記電源ボックス２０の端面には制限スライドレール２２が設置され、前記制限スライドレール２２と電源ボックス２０とは接着剤で粘着して接続される。前記制限スライドレール２２の底部には制限フレーム２３が設置され、前記制限フレーム２３と制限スライドレール２２は一体成形構造であり、前記電源ユニットにはソケットバッフル２４が設けられ、前記ソケットバッフル２４と制限スライドレール２２とはスライド可能に接続される。制限フレーム２３によってソケットバッフル２４が制限される。
【００３１】
本発明の作動原理は、以下のとおりである。装置本体を使用する時、宋錦織物をアイロンがけプレート５の上端面に敷き、アイロンがけ時に、押圧ユニットによって宋錦織物を押圧し、このような方式によって、アイロンがけ時に起きる宋錦織物のズレを回避する。押圧する際には、先ず位置決めベースプレート７の位置を調整し、中間の２個のスライドユニットＡにより位置決めベースプレート７の中央部で湾曲が発生しないことを確保し、長時間にわたって装置本体を使っても大きなズレが生じないことを確保し、位置決めベースプレート７の湾曲による押圧の不安定さによって引き起こされる緩めや脱離の現象を回避する。
【００３２】
実施例４
位置決め構造が設けられるが、１方向ガイド構造のスライドユニットＢのみを備える場合の態様は、以下のとおりである。
【００３３】
図１−４及び図６を参照すると、宋錦織物用アイロンがけ機構は、装置本体を含み、前記装置本体には支持柱１が設置され、前記支持柱１の底部にはフットパッド２が設置され、前記フットパッド２と支持柱１とは溶接方式によって固定して接続される。前記支持柱１の上方には支持ビーム３が設置され、前記支持ビーム３と支持柱１とは溶接により接続される。前記支持ビーム３の上方には導線配管４が設置され、前記導線配管４と支持柱１とはネジによって固定して接続される。前記導線配管４は中空構造であり、前記装置本体にはアイロンがけプレート５が設置され、前記アイロンがけプレート５は導線配管４の上方に取り付けられ、前記アイロンがけプレート５と導線配管４とはネジによって固定して接続される。前記アイロンがけプレート５の側面には制限係合プレート６が設置され、前記制限係合プレート６とアイロンがけプレート５とはバックルによって係着して接続される。前記アイロンがけプレート５の他の３つの側面には位置決めベースプレート７が設置され、前記位置決めベースプレート７には押圧ユニットが設置され、前記押圧ユニットは固定柱８、角度調整板９、ねじ棒１０、押圧板１１及び締め付けナット１２を含み、前記押圧ユニットには固定柱８が設置され、前記固定柱８と位置決めベースプレート７とは溶接方式によって固定して接続される。前記固定柱８には角度調整板９が設置され、前記角度調整板９と固定柱８とはベアリングによって回転可能に接続される。前記角度調整板９にはねじ棒１０が設けられ、前記ねじ棒１０と角度調整板９とはネジによって接続される。前記角度調整板９の底部には押圧板１１が設置され、前記押圧板１１と角度調整板９とはベアリングによって回転可能に接続される。前記押圧板１１の底部端面には布パッドが設置され、前記布パッドと押圧板１１とは接着剤で粘着して接続される。前記ねじ棒１０の頂部には締め付けナット１２が設置され、前記締め付けナット１２とねじ棒１０とは溶接方式によって固定して接続される。前記位置決めベースプレート７の底部にはスライドユニットＢが設置され、前記スライドユニットＢは第２パレット１６、ブラケット１７、スライドロッド１８及びシュート１９を含み、前記スライドユニットＢには第２パレット１６が設置され、前記第２パレット１６の底部と支持ビーム３とは溶接方式によって固定して接続される。前記第２パレット１６の上端面にはブラケット１７が設置され、前記ブラケット１７と第２パレット１６とはネジによって固定して接続される。前記ブラケット１７にはスライドロッド１８が設置され、前記スライドロッド１８は円柱状構造であり、前記スライドロッド１８とブラケット１７とは溶接方式によって接続される。前記位置決めベースプレート７の底面にはシュート１９が設置され、前記シュート１９と位置決めベースプレート７とは溶接方式によって接続される。スライドロッド１８に対応する前記シュート１９の位置には円形溝が設置され、前記シュート１９とスライドロッド１８とはスライド可能に接続される。前記制限係合プレート６の端面には電源ユニットが設置される。
【００３４】
前記電源ユニットは電源ボックス２０、ソケット２１、制限スライドレール２２、制限フレーム２３及びソケットバッフル２４を含み、前記電源ユニットには電源ボックス２０が設置され、前記電源ボックス２０と制限係合プレート６とはネジによって固定して接続される。前記電源ボックス２０にはソケット２１が設けられ、前記ソケット２１と電源ユニットとは電気的に接続される。前記電源ボックス２０の端面には制限スライドレール２２が設置され、前記制限スライドレール２２と電源ボックス２０とは接着剤で粘着して接続される。前記制限スライドレール２２の底部には制限フレーム２３が設置され、前記制限フレーム２３と制限スライドレール２２は一体成形構造であり、前記電源ユニットにはソケットバッフル２４が設けられ、前記ソケットバッフル２４と制限スライドレール２２とはスライド可能に接続される。制限フレーム２３によってソケットバッフル２４が制限される。
【００３５】
本発明の作動原理は以下のとおりである。装置本体を使用する時、宋錦織物をアイロンがけプレート５の上端面に敷き、アイロンがけ時に、押圧ユニットによって宋錦織物を押圧し、このような方式によって、アイロンがけ時に起きる宋錦織物のズレを回避する。押圧する際には、先ず位置決めベースプレート７の位置を調整し、調整時、スライドユニットＢによって位置決めベースプレート７をガイドし、ガイドする過程において、シュート１９とスライドロッド１８との間の相互作用により、位置決めベースプレート７を全体として移動させ、その安定性を確保する。
【００３６】
以上、本特許の好適な実施形態について詳細に説明したが、本発明は上記実施形態に限定されるものではなく、当業者が自分の持っている知識の範囲内において、本発明の要旨を逸脱せずに様々な変形を行うことができる。
【図１】
2021510088.tif 000003
【図２】
2021510088.tif 000004
【図３】
2021510088.tif 000005
【図４】
2021510088.tif 000006
【図５】
2021510088.tif 000007
【図６】
2021510088.tif 000008
【国際調査報告】
2021510088.tif 000009
2021510088.tif 000010
2021510088.tif 000011
2021510088.tif 000012